(57)【要約】【課題】  自動点滴液加圧器を提供する。【解決手段】  点滴液自動加圧器を、自動加圧器で、回路板、モーターポンプ、三通ジョイント、ブザー、電源から構成され、該回路板は、コントローラーを具え、該モーターポンプの回転数を制御し、該ブザーを制御して警告信号を発する。該回路板は、センサーを具え、外部の点滴袋及び該三通ジョイントの圧力或いは状態を検知する。該三通ジョイントは該モーターポンプを通して外部の点滴袋或いは栄養輸液袋を加圧或いは減圧する連通インターフェースである。電源は該自動加圧器内に設置され、該自動加圧器の各部品に電力を供給する。点滴自動加圧器の自動加圧、減圧、検知の各ステップ操作を、単一のボタン操作より行う。【選択図】  図１
2010005075.tif 000002
【特許請求の範囲】
【請求項１】
自動点滴液加圧器において、点滴操作が
a.電源を入れ、
b.スタンバイ状態に入り、正常指示灯により表示し、
c.ボタンを押すと加圧を行い、警告指示灯により表示し、
d.圧力が第一段所定値に達すると、正常指示灯により表示し、
e.圧力が第二段所定値まで下降し、
f.終了する
の各ステップからなり、人為的操作を単一のボタン操作のみで行うことを特徴とす  る自動点滴液加圧器。
【請求項２】
前記ステップcの加圧時に、使用者がもう一度ボタンを押すと、該自動加圧器は加圧を停止し、
かつステップcの加圧時に、所定の秒数を超過すると、該自動点滴液加圧器はブザーにより連続音声で警告を表示し、或いは警告指示灯により警告を表示し、
該自動点滴液加圧器が警告表示を行っている時に使用者が再度ボタンを押すと、該自動点滴液加圧器はスタンバイ状態に入ることを特徴とする請求項１記載の自動点滴液加圧器。
【請求項３】
前記自動点滴液加圧器は、さらに最大加圧値制限を有する第三段所定値が設定され、
該第三段所定値を超過すると、ブザーにより連続音声で警告を表示し、
該自動点滴液加圧器は点滴栄養輸液袋或いは点滴袋に適用されることを特徴とする請求項１記載の自動点滴液加圧器。
【発明の詳細な説明】
【技術分野】
【０００１】
本発明は、自動点滴液加圧器に関する。特に、自動点滴液加圧器に設置する回路板、モーターポンプ、三通ジョイント、ブザー、電源に単一のボタンを対応させることにより、使用者は単一ボタンを通して、自動加圧器に対して自動加圧、減圧、検知の設定及び使用を行うことができるため、この種のシンプルなボタン設計により、使用者は自動加圧器の使用を素早く学習することができ、しかも自動加圧器ボタンの減少は単価を低下させる効果をも備える自動点滴液加圧器に係る。
【背景技術】
【０００２】
一般の医療システムはコンピュータネットワーク、現場で治療に用いる医療装置、及びこれら医療装置の制御ユニットから構成される。コンピュータによる自動システム構築とその普及は、医療システムを進歩させが、医療システムはなお継続的に大量に手動の医療装置制御装置による各種状態の掌握を頼っている。
一般に大、小の手術或いは簡単な施療過程において頻繁に使用する設備或いは装置に輸血血液或いは栄養輸液剤等の流体性の点滴袋或いは栄養輸液袋がある。しかし伝統的な栄養輸液袋或いは点滴袋は使用時に時間の経過に伴い、栄養輸液袋或いは点滴袋の内部圧力が不足してくる。そのため、医療人員は病人を看護する時、定時に栄養輸液袋或いは点滴袋の圧力が十分であるかどうかを点検しなければならない。圧力が不足していれば、医療人員は手動によるポンプを用いて加圧を行い、こうして栄養輸液袋或いは点滴袋は正確な速度で人体に流入するようになる。しかし、この種の手動による加圧方式は時間の浪費である他に、人為的ミスが発生する可能性を知らず知らずの内に拡大してしまっている。
よって現在既に、医療設備メーカーは栄養輸液袋或いは点滴袋に対して圧力の調整或いは検知を行う自動加圧器を研究開発している。
それらの機器は、治療上の異なる注入圧力の要求に応えるため、機器上には様々なボタンを設置する必要があり、様々な機能の運用を達成している。
【０００３】
しかし上記の自動加圧器には以下の欠点がある。
1.該自動加圧器は、治療上の異なる注入圧力の要求に応えるため、機器上には様々なボタンを設置する必要があり、栄養輸液袋或いは点滴袋から正確な速度で液体が人体に注入されるよう医療人員は該自動加圧器の配置をしっかりと記憶する必要があり、或いは使用の度毎に自動加圧器上の文字説明を再確認しなければならない。従って、この種の自動加圧器の使用には医療人員は比較的長い時間の学習が必要で、さもなくば該機器が提供する機能に適応することはできない。
2.該公知の自動加圧器上には様々なボタンを設置するため、モールド製作にかかるコストが比較的高い。しかも、該機器は様々なボタンを配置する必要があるため、該機器の体積は比較的大きく、しかも場所をとる。
3.病人は大、小の手術であろうと、簡単な医療過程中であろうと、多くの見慣れない機器や装置を目にした時、機器が複雑であればあるほど大きな疑義や精神的プレッ  シャーを感じがちである。
【特許文献１】特開２００６−２３０４４５号公報
【発明の開示】
【発明が解決しようとする課題】
【０００４】
本発明者は、上記公知の自動点滴液加圧器の欠点と不足に鑑み、研究開発を行い、単一のボタンにより制御を行うことができる自動点滴液加圧器の発明に成功した。
本発明の第一の課題は、単一のボタンにより自動加圧器の制御を行うことができ、これにより医療人員の様々な注入圧力に対する要求に応えることができ、しかも公知の自動加圧器のように様々なボタンを設置する必要がないため、医療人員は自動加圧器の配置を詳細に記憶する必要がなく、栄養輸液液或いは点滴薬剤は正確な速度で体内に流入し、こうして本発明の自動点滴液加圧器は医療人員の学習時間を減少させることができ、該自動加圧気が提供する機能を迅速に学習することができ、
本発明の第二の課題は、単一のボタンにより自動加圧器の制御を完了するため、本発明はこれらの構造に関してモールド製作にかかるコストを抑えることができ、こうして自動加圧器の購入コストを節減可能で、しかも該自動加圧器は単一のボタンのみを配置するため、本発明自動加圧器の体積は比較的小さく、場所をとらない。
本発明の第三の課題は、病人は大、小の手術であろうと、簡単な医療過程中であろうと、多くの見慣れない機器や装置を目にした時、機器が複雑であればあるほど大きな疑義や精神的プレッシャーを感じがちであるが、単一のボタンの設置により病人の複雑な機器に対する不安を減少させることができる自動点滴液加圧器を提供することである。
【課題を解決するための手段】
【０００５】
上記課題を解決するため、本発明は下記の自動点滴液加圧器を提供する。
点滴液自動加圧器は、自動加圧器で、回路板、モーターポンプ、三通ジョイント、ブザー、電源からなり、
該回路板はコントローラーを設置し、該モーターポンプの回転数を制御し、該ブザーを制御して警告信号を発し、
該回路板はセンサーを具え、外部の点滴袋及び該三通ジョイントの圧力或いは状態を検知し、
該三通ジョイントは、該モーターポンプを通して外部の点滴袋或いは栄養輸液袋を加圧或いは減圧する連通インターフェースで、
該自動加圧器内に設置する電源は該自動加圧器の各部品に電力を供給する電源モジュールで、
上記部品に単一のボタンを対応させ、自動加圧器に対して自動加圧、減圧、検知を行い、該単一ボタンのシンプルな設計により、使用者は自動加圧器の使用法を迅速に学習可能で、しかも単一ボタンの簡単な構造の自動加圧器は安価で、かつ患者の複雑な機器に対する不安を和らげることができる。
【発明の効果】
【０００６】
上記のように、本発明自動加圧器はその機能と目的を確実に達成することができるため、本発明は実用性に優れた発明であり、進歩性の要件に符合し、また産業上の利用価値、新規性、進歩性をも備える。
【発明を実施するための最良の形態】
【０００７】
本発明最適実施例のシステム構造図である図１、本発明最適実施例のシステムブロックチャートである図２に示すように、本発明は自動加圧器１により構成する。
該自動加圧器１は、回路板１１、モーターポンプ１２、三通ジョイント１３、ブザー１４、電源１５を含む。
該回路板１１は、該自動加圧器１に対して制御を行う。
該回路板１１は、さらにコントローラー１１１を具える。該コントローラー１１１は該モーターポンプ１２の回転数を制御し、該ブザー１４を制御することにより警告信号を発する。
該回路板１１は、センサー１１２を具える。該センサー１１２は外部の点滴袋(図示なし)及び該三通ジョイント１３の圧力或いは状態を検知する。該三通ジョイント１３は該モーターポンプ１２を通して外部の点滴袋或いは栄養輸液袋を加圧或いは減圧する連通インターフェースである。
該ブザー１４は、警告を発する警報器である。
該電源１５は、該自動加圧器１の各部品に電力を供給する電源モジュールである。
【０００８】
患者或いは医療人員が上記自動加圧器１を点滴袋或いは栄養輸液袋に適用する時には、本発明最適実施例の動作フローチャートである図３に示すように、以下のステップにより行う。
(100)電源を入れる。
(101)スタンバイ状態に入り、グリーンライトを点灯、表示する。
(102)加圧を行い、レッドライトにより表示する。
(103)圧力が第一段所定値(310mmHg)に達すると、グリーンライトにより表示する。
(104)圧力が第二段所定値(250mmHg)まで下降する。
(105)終了。
【０００９】
使用時には先ず、使用者が電源を入れると、該自動加圧器１はグリーンライトを表示し、スタンバイ状態に入る。使用者が該自動加圧器１のボタンを一回目に押すと、該自動加圧器１は該モーターポンプ１２により加圧を行い所定の第一段圧力値に達する。該自動加圧器１を一定時間使用後、該自動加圧器１が圧力が徐々に下降していることを検知し、自動加圧器１が検知した圧力値が第二段圧力値まで下降すると、自動加圧器１は第一段圧力値まで自動的に加圧する。
【００１０】
本発明最適実施例の動作指示図である図４に示すように、上記動作のプロセスには、さらに他の作動プロセスを含む。
ステップ(102)中において、加圧過程で使用者がさらにボタンをもう一度押せば、自動加圧器１は加圧を停止し、グリーンライトにより表示する(ステップ201参照)。
ステップ(201)において、使用者がさらにもう一度ボタンを押せば、自動加圧器１はステップ(102)に入り加圧を行うことができる。
ステップ(102)において、加圧が所定の秒数(70秒等)を超過したなら、自動加圧器１は設置不良或いは破損により空気漏れが起きていないかどうかに関して、三通ジョイント１３を検査し、さらに該ブザー１４により連続的に音声警告表示を行う(ステップ203等)。
使用者がさらにもう一度ボタンを押すと、自動加圧器１はステップ(101)の状態に戻る。
さらにステップ(103)の状態において、使用者がボタンを継続的に押すと、自動加圧器１は第三段圧力値まで強制的に加圧し(ステップ204)、第三段圧力値を超過すると、ブザー１４により連続的に警告表示を行う。強制加圧の過程において、かつ使用者がボタンを放すと、自動加圧器１は使用者がボタンを放した時の圧力値を維持する。
【００１１】
しかも、上記説明中の加圧過程における人為的ミスを避けるために、該自動加圧器１は上限値を備える第三段圧力値を設定することができる。また加圧の過程において使用者がもう一度ボタンを押すと、該コントローラー１１１を通して加圧を停止し、栄養輸液袋或いは点滴袋の圧力値が過大になり患者に危険が及ぶことを回避可能である。
上記説明中のレッドライト或いはグリーンライトを通して行う表示は最適実施例に過ぎず、実際の使用においては、該グリーンライトは正常を示す指示灯で、該レッドライトは警告表示灯である。よって、各種着色光イトを通して行う表示の方式はすべて同一原理として本考案の特許範囲に含まれ、簡易な修飾及び等価の構造変化もすべて同一原理として本考案の特許範囲に含まれるものとする。
【００１２】
本発明自動加圧器１と公知の技術を比較すると、本発明は以下の長所を備える。
1.本発明は、単一のボタンを通して自動加圧器１の制御を行うため、医療人員の様々な注入圧力に対するニーズに応えることができる他、公知の自動加圧器のように機器上に様々なボタンを設置する必要がない。よって医療人員は自動加圧器１の配置をしっかりと記憶する必要がなく、これにより栄養輸液剤或いは点滴薬剤を正確な速度で人体内に供給することができる。つまり、本発明の自動点滴液加圧器により、医療人員は学習時間を削減しながらも、該自動加圧器１が提供する機能を素早く学習することができる。
2.本発明は、単一のボタンを通して自動加圧器１の制御を行う簡単な構造のため、モールド製作を比較的安価に行うことができる。よって、自動加圧器１の購入コストを節減可能で、しかも該自動加圧器１には単一のボタンのみを配置するため、本発明の自動加圧器１の体積は比較的小さく、よって場所をとらない。
3.病人は大、小の手術であろうと、簡単な医療過程中であろうと、多くの見慣れない機器や装置を目にした時、機器が複雑であればあるほど大きな疑義や精神的プレッシャーを感じがちであるが、単一のボタンの設置により病人の複雑な機器に対する不安を減少させることができる。
4.本発明の加圧過程で、加圧が所定の秒数を超過したなら、自動加圧器１は設置不良或いは破損により空気漏れが起きていないか或いは加圧を行うことができないかに関して、三通ジョイント１３を検査する。これにより本発明自動加圧器１使用の安全性を確実に、かつ厳密に確保することができる。
上記は本発明の最適実施例に過ぎず、本発明を限定するものではない。本発明特許請求範囲を運用し行う均等変化と修飾もすべて、本発明の特許範囲に含む。
【図面の簡単な説明】
【００１３】
【図１】本発明最適実施例のシステム構造図である。
【図２】本発明最適実施例のシステムブロックチャートである。
【図３】本発明最適実施例の動作フローチャートである。
【図４】本発明最適実施例の動作指示図である。
【符号の説明】
【００１４】
１  自動加圧器
１１  回路板
１１１  コントローラー
１１２  センサー
１２  モーターポンプ
１３  三通ジョイント
１４  ブザー
１５  電源
【図１】
2010005075.tif 000003
【図２】
2010005075.tif 000004
【図３】
2010005075.tif 000005
【図４】
2010005075.tif 000006